(57)【要約】      （修正有）【課題】簡単に組み立てられ、適切な張力のもとで接触の有無の判断精度が向上した卓球用ネットアセンブリを提供する。【解決手段】網状体１２、および、網状体を吊持するネットロープ１４を含むネット１０と、ネットを高さ方向に支持するポール２２、ポールの角度を調節可能な角度調節機構２４、および、卓球台に対設するための取付け部２６を含むサポート２０と、ネットに取付けられ、ネットへの接触を検出する検出器４０と、検出器によって取得された情報に基づいて、ネットへの接触の有無を判断する判定装置４２と、を備えている。【選択図】図１
0003230976.tif 000002
【実用新案登録請求の範囲】
【請求項１】
ネットへの接触を検出可能な卓球用ネットアセンブリであって、
網状体、および、前記網状体を吊持するネットロープを含む前記ネットと、
前記ネットを高さ方向に支持するポール、前記ポールの角度を調節可能な角度調節機構、および、卓球台に対設するための取付け部を含むサポートと、
前記ネットに取付けられ、前記ネットへの接触を検出する検出器と、
前記検出器によって取得された情報に基づいて、前記ネットへの接触の有無を判断する判定装置と、
を備えていることを特徴とする卓球用ネットアセンブリ。
【請求項２】
前記サポートは、前記ポールの高さを調節可能な高さ調節機構を備えていることを特徴とする請求項１に記載の卓球用ネットアセンブリ。
【請求項３】
前記ネットの前記ネットロープの端部に、複数の球状体と前記球状体を連結するワイヤとからなるボールチェーンと、
前記サポートに、前記ボールチェーンの前記球状体を抜け止めする幅の溝が形成された掛止部と、
を備えていることを特徴とする請求項１または２に記載の卓球用ネットアセンブリ。
【請求項４】
前記検出器は、振動センサであることを特徴とする請求項１〜３のいずれか一項に記載の卓球用ネットアセンブリ。
【考案の詳細な説明】
【技術分野】
【０００１】
本考案は、ネットへのボール、体の一部、ラケット等の接触を検出可能な卓球用ネットアセンブリに関する。
【背景技術】
【０００２】
従来から、卓球の試合において、打ったサーブがネットに接触してから相手コートに入った場合は打ち直しになるものの、卓球のボールは小さく動きが速いため、肉眼では接触の有無を判断しにくいことがある。また、ネットに体の一部やラケットが接触してしまうと相手の得点になるが、接触の有無を判断しにくい場合がある。
【０００３】
しかし、サーブ時のネットインや、体の一部等のネットタッチの判断の難しさは、卓球に限った問題ではなく、テニスやバレーボール等の他のスポーツにおいても同様に大きな問題である。そこで、特許文献１には、ネット引張ロープの振動を電気信号に変換する検出装置と、この検出装置からの所定帯域の周波数を選択するフィルタと、このフィルタからの出力を受けてネットボールの判別出力を生じる判別回路とからなるネットボール判定装置が開示されている。
【先行技術文献】
【特許文献】
【０００４】
【特許文献１】特開昭５９−２５７６７号公報
【考案の概要】
【考案が解決しようとする課題】
【０００５】
しかしながら、従来のネットボール判定装置をネットに取り付けただけでは、ネットの張力が適切ではなく、ノイズを拾ってしまう場合も多く、判断の精度が十分ではなかった。
【０００６】
本考案は、このような事情に鑑みてなされたもので、簡単に組み立てられ、適切な張力のもとで接触の有無の判断精度が向上した卓球用ネットアセンブリを提供することを目的とする。
【課題を解決するための手段】
【０００７】
請求項１記載の卓球用ネットアセンブリは、網状体、および、網状体を吊持するネットロープを含むネットと、ネットを高さ方向に支持するポール、ポールの角度を調節可能な角度調節機構、および、卓球台に対設するための取付け部を含むサポートと、ネットに取付けられ、ネットへの接触を検出する検出器と、検出器によって取得された情報に基づいて、ネットへの接触の有無を判断する判定装置と、を備えていることを特徴とする。
【０００８】
請求項２記載の卓球用ネットアセンブリは、サポートが、ポールの高さを調節可能な高さ調節機構を備えていることを特徴とする。
【０００９】
請求項３記載の卓球用ネットアセンブリは、ネットのネットロープの端部に複数の球状体と球状体を連結するワイヤとからなるボールチェーンと、サポートにボールチェーンの球状体を抜け止めする幅の溝が形成された掛止部と、を備えていることを特徴とする。
【００１０】
請求項４記載の卓球用ネットアセンブリは、検出器が、振動センサであることを特徴とする。
【考案の効果】
【００１１】
本考案によれば、簡単に組み立てられ、適切な張力のもとで接触の有無の判断精度が向上した卓球用ネットアセンブリを提供することができる。
【図面の簡単な説明】
【００１２】
【図１】本考案に係る卓球用ネットアセンブリの実施例を示す説明図である。
【図２】同実施例の卓球用ネットアセンブリを構成するサポートを示す説明図である。
【考案を実施するための形態】
【００１３】
以下、本考案の形態について図面を参照しながら具体的に説明する。図１は、本考案に係る卓球用ネットアセンブリの実施例の一部を示す正面図である。図２は、同実施例の卓球用ネットアセンブリを構成するサポートを示す斜視図である。
【００１４】
本考案に係る卓球用ネットアセンブリ１は、卓球台Ｔに取り付けて使用するものであって、ネット１０へのボール、体の一部、ラケット等の接触を検出可能なネットアセンブリである。卓球用ネットアセンブリ１は、図１に示すように、一般的な卓球用のネットアセンブリと同様に、ネット１０とサポート２０を備えている。さらに、卓球用ネットアセンブリ１は、ネット１０へのボール等の接触の有無を判断するために、検出器４０と判定装置４２を備えている。なお、本考案は、卓球用のネットアセンブリに関するものであるが、卓球以外のテニス、バレーボール等の他の競技のネットアセンブリにも応用可能である。
【００１５】
ネット１０は、網状体１２と、網状体１２を吊持するネットロープ１４とを含むものである。ネット１０の構造は、網状体１２とネットロープ１４を含んでいれば特に限定されないものの、網状体１２の両側端が、紐式、面ファスナー式、差し込み式等により、サポート２０に連結されるような構造であってもよい。また、ネットロープ１４は、網状体１２の上縁を挿通するものであってもよいし、網状体１２の両側端に取り付けられたものであってもよい。
【００１６】
サポート２０は、図２に示すように、ネット１０を高さ方向に支持するポール２２、ポール２２の角度を調節可能な角度調節機構２４、および、卓球台Ｔに対設するための取付け部２６を含むものである。取付け部２６の取付け様式は、クリップ状のバネ式、クランプ状のネジ固定式等があるが任意である。
【００１７】
検出器４０は、ネット１０へのボール等の接触を検出するために、ネット１０に取付けられて使用されるものである。なお、検出器４０の種類は任意であるが、振動センサ、接触センサ、温度センサ、赤外線センサ等が挙げられ、振動センサであることが好ましい。また、ネット１０に取り付ける検出器４０の数や位置は任意であり、ネット１０の中央および／または左右両側もしくは片側のみに取り付けてもよい。
【００１８】
また、判定装置４２は、検出器４０によって取得されたネット１０の振動等の情報に基づいて、ネット１０への接触の有無を判断するものである。つまり、判定装置４２は、検出器４０から出力された信号を読み取り、変換し、接触の有無を、光、音、振動、表示器等により表現する。判定装置４２は、検出器４０と有線または無線により接続されている。
【００１９】
本考案に係る卓球用ネットアセンブリ１は、簡単に組み立てることができる。また、ネット１０が適切な張力を得ることができるため、ネット１０へのボール等の接触の有無の判断精度を向上させることができる。
【００２０】
サポート２０は、ポール２２の高さを調節可能な高さ調節機構２８を備えていることが好ましい。高さ調節機構２８は、図１、２では、ポール２２の下方に設けられてポール２２を昇降させているが、ポール２２の高さ調節が可能であれば構造は任意である。ポール２２の高さを調節することにより、ネット１０の高さ調整を容易に行うことができる。
【００２１】
また、卓球用ネットアセンブリ１は、ネット１０のネットロープ１４の端部にボールチェーン１６、サポート２０に掛止部３０を備えていることが好ましい。ボールチェーン１６は、複数の球状体と、球状体を連結するワイヤとからなる。一方、掛止部３０には、ボールチェーン１６の球状体を抜け止めする幅の溝が形成されている。なお、掛止部３０の形状は前記溝を有していれば任意であり、掛止部３０の位置もサポート２０のどこに設けられるかは任意であり、ポール２２であっても、取付け部２６であってもよい。ボールチェーン１６のいずれか１つの球状体と、掛止部３０との係合により、容易にネットロープ１４をサポート２０に固定することができる。
【実施例】
【００２２】
以下、実施例を示して本願の卓球用ネットアセンブリ１について説明する。
【００２３】
本実施例では、卓球用ネットアセンブリ１は、図１に示すように、ネット１０と、サポート２０と、検出器４０と、判定装置４２とからなり、右側も同様の構造である。
【００２４】
ネット１０は、網状体１２と、網状体１２を吊持するネットロープ１４を備え、ネットロープ１４の両端部には、複数の球状体と、球状体を連結するワイヤと、からなるボールチェーン１６を備えている。網状体１２の上縁および両側は縁取りがなされており、上縁にはネットロープ１４が挿通されている。また、網状体１２の両側には、面ファスナー式の連結部材が各側に２つ設けられている。
【００２５】
サポート２０は、図２に示すように、卓球台Ｔに取り付けるためのネジ固定式のクランプ状の取付け部２６と、ネット１０を高さ方向に支持するために取付け部２６に回動可能に設けられたポール２２を含んでいる。また、サポート２０は、ポール２２の角度を調節可能な角度調節機構２４、ポール２２の高さを調節可能な高さ調節機構２８、および、ポール２２にボールチェーン１６の球状体を抜け止めする幅の溝を有する掛止部３０を備えている。
【００２６】
なお、ポール２２は、その頂部にネットロープ１４のためのガイド溝が設けられている。また、ポール２２は、ボールがネット１０に接触した際の振動に同調するため、掛止部３０よりも上部が、側面視において、下部よりも細くなっている。
【００２７】
ネット１０への接触を検出する検出器４０は、振動センサである。検出器４０は、ネット１０に吊り下げることができるようにヘアピン状に折り曲げられたフック、および、フックから下方に延在した差し込み片を含んでいる。また、判定装置４２は、検出器４０によって取得された情報に基づいて、ネット１０への接触の有無を判断する装置であるが、接触があったと判断した場合に点灯する表示ランプ、および、音が鳴るブザーを設けている。
【００２８】
次に、卓球用ネットアセンブリ１の使用方法について説明する。
まず、卓球台Ｔの長手方向中央の両側にサポート２０を取り付ける。卓球台Ｔにサポート２０の取付け部２６を挟み込んでクランプのネジを締め、サポート２０を卓球台Ｔに固定し、ポール２２を立設する。
【００２９】
固定した２つのサポート２０間にネット１０を渡し、ネットロープ１４を立設したポール２２頂部のガイド溝に沿って下方に曲折させる。そして、ネットロープ１４の端部のボールチェーン１６の球状体の１つをサポート２０の掛止部３０に係合させて、ネットロープ１４の端部をサポート２０に固定する。
【００３０】
サポート２０の角度調節機構２４の調節ネジを回動させて、ポール２２が垂設されるように角度を調節する。そして、サポート２０の高さ調節機構２８の調節ネジを回動させて、ポール２２の高さを調節し、ネット１０の高さを規定の高さに調整する。
【００３１】
張設したネット１０の網状体１２の上縁に検出器４０のフックを掛け、下方の差し込み片を網状体１２の網目に絡ませて、検出器４０をネット１０の側端近傍（卓球台Ｔよりも外側）に取り付ける。そして、検出器４０を判定装置４２に接続する。本実施例では、サーブでのネットインを検出するため、サーブ時のみ判定装置４２を起動させる。判定装置４２は、装置上部の起動ボタンを押している間、作動する。
【００３２】
サーブの際、ボールがネット１０に接触した場合、検出器４０がネット１０の振動を検出し、その情報を判定装置４２に出力する。判定装置４２は、検出器４０から出力された信号を読み取り、その信号を変換し、表示ランプの点灯、および、ブザー音によって、ボールの接触があったことを知らせる。
【００３３】
本実施例に係る卓球用ネットアセンブリ１は、簡単に組み立てることができる。また、ネット１０が適切な張力を得ることができるため、ネット１０へのボール等の接触の有無の判断精度を向上させることが可能となる。
【００３４】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００３５】
本考案により、簡単に組み立てられ、適切な張力のもとで接触の有無の判断精度が向上した卓球用ネットアセンブリを提供することができる。
【符号の説明】
【００３６】
１・・・・・卓球用ネットアセンブリ
１０・・・・ネット
１２・・・・網状体
１４・・・・ネットロープ
１６・・・・ボールチェーン
２０・・・・サポート
２２・・・・ポール
２４・・・・角度調節機構
２６・・・・取付け部
２８・・・・高さ調節機構
３０・・・・掛止部
４０・・・・検出器
４２・・・・判定装置
【図１】
0003230976.tif 000003
【図２】
0003230976.tif 000004